(57)【要約】  収差、周辺光量比、明るさなどで４枚構成の撮像光学系と同等以上の高い光学性能を備えた３枚構成の撮像光学系を提供する。本発明による撮像光学系は、物体側から像側に、像側に回折格子が付された正の第１レンズ、像側に凸面を向けたメニスカスレンズである第２レンズ、負のメニスカスレンズである第３レンズから構成され、絞りが第１レンズの像側の面よりも物体側に配置された撮像光学系であって、Ｄ１２は第１レンズ及び第２レンズ間の光軸上の距離、ＴＴＬは第１レンズの物体側の頂点から像面までの距離、φ１は、第１レンズのパワー、φ２は、第２レンズのパワー、φは、第１レンズ、第２レンズ及び第３レンズの合成パワー、Ｆｎｏは光学系のエフ・ナンバー、ｒ１は、第１レンズの物体側の面の曲率半径であるとして、以下の式を満足する  0.18<D12×φ<0.22        (1)  1.1<TTL×φ<1.22         (2)  Fno<3.0                  (3)  0.46<r1×φ<0.49         (4)  0.8<φ/φ1<1.0           (5)  |φ2/φ|<0.1             (6)
2011161971.tif 000002
【特許請求の範囲】
【請求項１】
物体側から像側に、像側に回折格子が付された正の第１レンズ、像側に凸面を向けたメニスカスレンズである第２レンズ、負のメニスカスレンズである第３レンズから構成され、絞りが第１レンズの像側の面よりも物体側に配置された撮像光学系であって、Ｄ１２は第１レンズ及び第２レンズ間の光軸上の距離、ＴＴＬは第１レンズの物体側の頂点から像面までの距離、φ１は、第１レンズのパワー、φ２は、第２レンズのパワー、φは、第１レンズ、第２レンズ及び第３レンズの合成パワー、Ｆｎｏは光学系のエフ・ナンバー、ｒ１は、第１レンズの物体側の面の曲率半径であるとして、
0.18<D12×φ<0.22        (1)
1.1<TTL×φ<1.22         (2)
Fno<3.0                  (3)
0.46<r1×φ<0.49         (4)
0.8<φ/φ1<1.0           (5)
|φ2/φ|<0.1             (6)
を満足する撮像光学系。
【請求項２】
第２レンズは、近軸領域から周辺に向かって像側の面の負のパワーが強くなる、パワー０のメニスカスレンズである請求項１に記載の撮像光学系。
【請求項３】
第１レンズが近軸領域において、凸平または両凸レンズである請求項１または２に記載の撮像光学系。
【請求項４】
第３レンズの物体側の面は、近軸領域及び周辺領域において正のパワーを有し、該近軸領域と該周辺領域の中間領域で負のパワーを有する請求項１から３のいずれかに記載の撮像光学系。
【請求項５】
第３レンズの像側の面は、近軸領域において負のパワーを有し、周辺領域において正のパワーを有する請求項１から４のいずれかに記載の撮像光学系。
【請求項６】
φ３は、第３レンズのパワーであるとして、
-3.3<φ/φ3<-2.6         (7)
を満足する請求項１から５のいずれかに記載の撮像光学系。
【請求項７】
ｖd1は第１レンズの材料のｄ線(波長587.6nm)でのアッべ数、ｖd3は第３レンズの材料のｄ線(波長587.6nm)でのアッべ数、 nd1は第１レンズの材料のｄ線(波長587.6nm)での屈性率、nd3は第三レンズの材料のｄ線(波長587.6nm)での屈折率であるとして、
54<vd1,vd3<58              (8)
1.5<nd1,nd3<1.54           (9)
を満足する請求項１から６のいずれかに記載の撮像光学系。
【請求項８】
nd2は第２レンズの材料のｄ線(波長587.6nm)での屈折率、r3は第２レンズ物体側の曲率半径、r4は第２レンズの像側の曲率半径、D2は第２レンズの中心厚であるとして、
(nd2-1)×(1/r3-1/r4)+(nd2-1)2×D2/(nd2×r3×r4)=0     (10)
を満足する請求項１から７のいずれかに記載の撮像光学系。
【請求項９】
φDOEは第１レンズの回折格子のパワーであるとして、
0.05<φDOE/φ<0.07     (11)
を満足する請求項１から８のいずれかに記載の撮像光学系。
【請求項１０】
0.27<Fno<3.0           (12)
を満足する請求項１から９のいずれかに記載の撮像光学系。
【発明の詳細な説明】
【技術分野】
【０００１】
本発明は、デジタルカメラ、撮像機能付き携帯電話などに使用される撮像光学系に関する。
【背景技術】
【０００２】
携帯電話などに使用される撮像光学系には、高画質、小型、低コストであることに対するニーズがある。高画質を実現するための高画素の撮像光学系は、高分散材料を使用する色消し用のレンズを含む、４枚以上のレンズから構成される。回折格子を使用することにより、色消し用のレンズを取り除くことが可能である。しかし、高画質を実現する３枚構成の撮像光学系は、球面収差や像面湾曲などの色収差以外の収差、周辺光量比、明るさなどで４枚構成の撮像光学系と同等以上の高い光学性能を備える必要がある。【０００３】
特許文献１は、物体側から順に、正の第１レンズ、物体側の面が凹形状となっている第２レンズ及び負の第３レンズからなる３枚構成撮像系を開示している。この３枚構成撮像系は、小型で像面湾曲も小さい。しかし、この３枚構成撮像系のエフ・ナンバーは３．５であり、一般的に使用されているエフ・ナンバー２．８の撮像光学系と比較すると、中心付近のコントラストが低下し画質が低下する。【０００４】
特許文献２は、物体側から順に正の第１レンズ、物体側に凹面を向けた正または負の第２レンズ及び正または負の第３レンズからなる３枚構成撮像系を開示している。この３枚構成撮像系は、小型でエフ・ナンバーが３．０以下のものも含む。しかし、しかし、この３枚構成撮像系の球面収差は比較的大きく、球面収差の劣化により画質が低下する。【０００５】
このように、収差、周辺光量比、明るさなどで４枚構成の撮像光学系と同等以上の高い光学性能を備えた３枚構成の撮像光学系は開発されていない。【０００６】
特許文献１  特開２００８−２７６２００号公報
特許文献２  特開２００７−２６４１８１号公報
【発明の概要】
【０００７】
したがって、収差、周辺光量比、明るさなどで４枚構成の撮像光学系と同等以上の高い光学性能を備えた３枚構成の撮像光学系に対するニーズがある。
【０００８】
本発明による撮像光学系は、物体側から像側に、像側に回折格子が付された正の第１レンズ、像側に凸面を向けたメニスカスレンズである第２レンズ、負のメニスカスレンズである第３レンズから構成され、絞りが第１レンズの像側の面よりも物体側に配置された撮像光学系であって、Ｄ１２は第１レンズ及び第２レンズ間の光軸上の距離、ＴＴＬは第１レンズの物体側の頂点から像面までの距離、φ１は、第１レンズのパワー、φ２は、第２レンズのパワー、φは、第１レンズ、第２レンズ及び第３レンズの合成パワー、Ｆｎｏは光学系のエフ・ナンバー、ｒ１は、第１レンズの物体側の面の曲率半径であるとして、
0.18<D12×φ<0.22        (1)
1.1<TTL×φ<1.22         (2)
Fno<3.0                  (3)
0.46<r1×φ<0.49         (4)
0.8<φ/φ1<1.0           (5)
|φ2/φ|<0.1             (6)
を満足する。
【０００９】
本発明による撮像光学系において、第１レンズを正のレンズとすることによって光学系を小型化しやすくなる。第１レンズの像側に回折格子を付することによって、軸上の色収差が改善され、高解像度を実現することが可能となる。第２レンズを像側に凸面を向けたメニスカスレンズとすることによって、像面湾曲を低減させることができる。第３レンズを負のレンズとすることにより、射出瞳位置を物体側に持っていくことができ、バックフォーカスを維持しながら画像素子の周縁部への入射角度を低減することができる。また、  絞りを第１レンズの像側の面より物体側に配置することにより、光学系を小型化することができる。さらに、式（１）乃至（６）を満たすことにより、小型でありながら、製造しやすく、像面湾曲が小さく、明るい、高画質の画像を生成する光学系が得られる。
【００１０】
本発明の実施形態による撮像光学系において、第２レンズは、近軸領域から周辺に向かって像側の面の負のパワーが強くなる、パワー０のメニスカスレンズである。
【００１１】
本実施形態において、第２レンズは、近軸領域から周辺に向かって像側の面の負のパワーが強くなるので、周辺光線の周辺の光線高さを維持したまま、中心光線の周辺の光線高さを小さくすることができるので周辺光量比を大きくすることができる。また、第２レンズのパワーを０とすることにより、組み立ての際の、第１レンズに対する第２レンズの偏芯感度を低減することが可能となり、製造コストを低減することができる。また、高分散の材料を使用しても軸上色収差を変化させることがなく、周辺の色倍率収差を改善することができる。
【００１２】
本発明の実施形態による撮像光学系において、第１レンズが近軸領域において、凸平または両凸レンズである。
【００１３】
第１レンズの像面側を凹面にしないことにより、レンズのコバ部分に迷光が導入されにくくなり、コバ部分の内部反射を経て撮像素子の像面に入射する迷光を削減することができる。この結果、画質を向上させることができる。
【００１４】
本発明の実施形態による撮像光学系において、第３レンズの物体側の面は、近軸領域及び周辺領域において正のパワーを有し、該近軸領域と該周辺領域の中間領域で負のパワーを有する。
【００１５】
第３レンズの物体側の面が、近軸領域及び周辺領域において正のパワーを有し、該近軸領域と該周辺領域の中間領域で負のパワーを有するように形成することによって、像面湾曲を天元させながら、周辺光線の中心光線の光線高さを大きくすることができるので、撮像素子の周縁部への光線の入射角度を低減させることができる。
【００１６】
本発明の実施形態による撮像光学系において、第３レンズの像側の面は、近軸領域において負のパワーを有し、周辺領域において正のパワーを有する。
【００１７】
第３レンズの像側の面が、近軸領域において負のパワーを有し、周辺領域において正のパワーを有するように形成し、第１乃至第３レンズの近軸領域を凸凸凹とし、第１乃至第３レンズの周辺領域を凸凹凸とすることによって、周辺光量比を大きくし、結像性能を向上させることができる。
【００１８】
本発明の実施形態による撮像光学系において、φ３は、第３レンズのパワーであるとして、
-3.3<φ/φ3<-2.6         (7)
を満足する。
【００１９】
φ/φ3が式（７）の下限値よりも小さくなると、撮像素子への入射角度が大きくなり、画質の低下を生じる。φ/φ3が式（７）の上限値よりも大きくなると、像面湾曲が劣化し、レンズの解像度が低下する。
【００２０】
本発明の実施形態による撮像光学系において、ｖd1は第１レンズの材料のｄ線(波長587.6nm)でのアッべ数、ｖd3は第３レンズの材料のｄ線(波長587.6nm)でのアッべ数、 nd1は第１レンズの材料のｄ線(波長587.6nm)での屈性率、nd3は第三レンズの材料のｄ線(波長587.6nm)での屈折率であるとして、
54<vd1,vd3<58              (8)
1.5<nd1,nd3<1.54           (9)
を満足する。
【００２１】
第１レンズ及び第３レンズにオレフィン系などの樹脂材料を使用することができ、ガラスを使用する場合と比較してコストを低減することができる。
【００２２】
本発明の実施形態による撮像光学系において、nd2は第２レンズの材料のｄ線(波長587.6nm)での屈折率、r3は第２レンズ物体側の曲率半径、r4は第２レンズの像側の曲率半径、D2は第２レンズの中心厚であるとして、
(nd2-1)×(1/r3-1/r4)+(nd2-1)2×D2/(nd2×r3×r4)=0     (10)
を満足する。
【００２３】
式（１０）の左辺は第２レンズのパワーを表す。第２レンズの正または負のパワーの絶対値が大きくなるほど球面収差が大きくなる。第２レンズのパワーを０とすることにより、組み立ての際の、第１レンズに対する第２レンズの偏芯感度を低減することが可能となり、製造コストを低減することができる。また、高分散の材料を使用しても軸上色収差を変化させることがなく、周辺の色倍率収差を改善することができる。
【００２４】
本発明の実施形態による撮像光学系において、φDOEは第１レンズの回折格子のパワーであるとして、
0.05<φDOE/φ<0.07     (11)
を満足する。
【００２５】
φDOE/φが式（７）の上限値より大きいと、回折格子の作用によるゴースト・フレアの影響が大きくなる。φDOE/φが式（７）の下限値より小さいと、回折格子による色消し効果が弱くレンズの解像度を向上させることができない。
【００２６】
本発明の実施形態による撮像光学系において、
0.27<Fno<3.0           (12)
を満足する。
【００２７】
エフ・ナンバーが式（１２）の下限値よりも小さいと、焦点深度が浅くなり、組み立ての際の偏芯感度が大きくなり、製造コストが上昇する。エフ・ナンバーが式（１２）の上限値よりも大きいと、回折限界により解像度の劣化を生じる。
【図面の簡単な説明】
【００２８】
【図１】実施例１による撮像光学系の構成を示す図である。
【図２】実施例１による撮像光学系の収差を示す図である。
【図３】実施例２による撮像光学系の構成を示す図である。
【図４】実施例２による撮像光学系の収差を示す図である。
【図５】実施例３による撮像光学系の構成を示す図である。
【図６】実施例３による撮像光学系の収差を示す図である。
【図７】実施例４による撮像光学系の構成を示す図である。
【図８】実施例４による撮像光学系の収差を示す図である。
【図９】実施例５による撮像光学系の構成を示す図である。
【図１０】実施例５による撮像光学系の構成を示す図である。
【図１１】実施例６による撮像光学系の構成を示す図である。
【図１２】実施例６による撮像光学系の収差を示す図である。
【図１３】実施例７による撮像光学系の構成を示す図である。
【図１４】実施例７による撮像光学系の収差を示す図である。
【図１５】実施例８による撮像光学系の構成を示す図である。
【図１６】実施例８による撮像光学系の収差を示す図である。
【図１７】実施例９による撮像光学系の構成を示す図である。
【図１８】実施例９による撮像光学系の収差を示す図である。
【図１９】実施例１０による撮像光学系の構成を示す図である。
【図２０】実施例１０による撮像光学系の収差を示す図である。
【図２１】実施例１１による撮像光学系の構成を示す図である。
【図２２】実施例１１による撮像光学系の収差を示す図である。
【図２３】実施例１２による撮像光学系の構成を示す図である。
【図２４】実施例１２による撮像光学系の収差を示す図である。
【図２５】実施例１３による撮像光学系の構成を示す図である。
【図２６】実施例１３による撮像光学系の収差を示す図である。
【図２７】実施例１４による撮像光学系の構成を示す図である。
【図２８】実施例１４による撮像光学系の収差を示す図である。
【図２９】実施例１５による撮像光学系の構成を示す図である。
【図３０】実施例１５による撮像光学系の収差を示す図である。
【発明を実施するための形態】
【００２９】
図１は、本発明の一実施形態による撮像光学系の構成を示す図である。本実施形態による撮像光学系は、物体側から像側に、第１レンズＥ１、第２レンズＥ２及び第３レンズＥ３を通過した光は、ガラス板Ｅ４を通過して像面ＩＳに至る。
【００３０】
以下において、本発明による撮像光学系の特徴について説明する。
【００３１】
３枚レンズの種類
本発明の実施形態による撮像光学系は、物体側から像側に、像側に回折格子が付された正のレンズである第１レンズ、像側に凸面を向けたメニスカスレンズである第２レンズ及び負のメニスカスレンズである第３レンズを備える。絞りは、第１レンズの像側の面よりも物体側に配置されている。
【００３２】
第１レンズを正のレンズとすることによって光学系を小型化しやすくなる。
【００３３】
第１レンズの像側に回折格子を付することによって、軸上の色収差が改善され、高解像度を実現することが可能となる。
【００３４】
第２レンズを像側に凸面を向けたメニスカスレンズとすることによって、像面湾曲を低減させることができる。
【００３５】
第３レンズを負のレンズとすることにより、射出瞳位置を物体側に持っていくことができ、バックフォーカスを維持しながら画像素子の周縁部への入射角度を低減することができる。
【００３６】
絞りの位置
絞りを第１レンズの像側の面より物体側に配置することにより、光学系を小型化することができる。
【００３７】
第１及び第２レンズ間の光軸上の距離D12と３枚のレンズの合成パワーφとの積
本発明の実施形態による光学系は、
0.18<D12×φ<0.22        (1)
を満たすように構成される。D12×φが式（１）の下限値を下回ると、組み立ての際の、第２レンズの第１レンズに対する偏芯感度が増加し、製造コストが増加する。D12×φが式（１）の上限値を上回ると、光学系が大型化する。
【００３８】
第１レンズの物体側の頂点から像面までの距離TTLと３枚のレンズの合成パワーφとの積
本発明の実施形態による光学系は、
1.1<TTL×φ<1.22       (2)
を満たすように構成される。TTL×φが式（２）の下限値を下回ると、光学系の像面湾曲による解像度の劣化が大きくなる。TTL×φが式式（２）の上限値を上回ると、光学系が大型化する。なお、本明細書においてレンズのパワーとは、近軸付近のレンズのパワーを意味する。
【００３９】
エフ・ナンバーFno
本発明の実施形態による光学系は、
Fno<3.0                  (3)
を満たすように構成される。Fnoが３より大きくなると、回折限界により解像度の劣化が生じる。
【００４０】
第１レンズの物体側の面の曲率半径r1と３枚のレンズの合成パワーφとの積
本発明の実施形態による光学系は、
0.46<r1×φ<0.49          (4)
を満たすように構成される。r1×φが式（４）の下限値を下回ると、球面収差が大きくなり、解像度の劣化が生じる。また、球面収差を小さくするために、エフ・ナンバーを大きくして明るさを減少させるとコントラストの低下を生じる。このように、いずれにしても、画質が低下する。r1×φが式（４）の上限値を上回ると、光学系が大型化する。
【００４１】
３枚のレンズの合成パワーφと第１レンズのパワーφ1との比
本発明の実施形態による光学系は、
0.8<φ/φ1<1.0         (5)
を満たすように構成される。φ/φ1が式（５）の下限値を下回ると、組み立ての際の、第２レンズの第１レンズに対する偏芯感度が増加し、製造コストが増加する。φ/φ1が式（５）の上限値を上回ると、光学系が大型化する。
【００４２】
第２レンズのパワーφ2と３枚のレンズの合成パワーφとの比の絶対値
本発明の実施形態による光学系は、
|φ2/φ|<0.1             (6)
を満たすように構成される。|φ2/φ|が式（６）の上限値を上回ると、組み立ての際の、第２レンズの第１レンズに対する偏芯感度が増加し、製造コストが増加する。
【００４３】
レンズの材料
本発明の実施形態による撮像光学系は、レンズが全てプラスチック（樹脂）材料で形成されている。したがって、レンズをすべてモールド成形で製作でき、量産に適している。一例として、第１及び第３レンズの材料は、シクロオレフィンポリマー(COP)樹脂）であり、第２レンズの材料は、シクロオレフィンポリマー(COP)樹脂またはポリカーボネード(PC)樹脂またはシクロオレフィンコポリマー(COC)樹脂である。
【００４４】
実施例による撮像光学系の仕様
表１及び表２は、実施例１乃至１５の撮像光学系の仕様を表す表である。表１及び表２において長さの単位はミリメータである。
【表１】
2011161971.tif 000003
【表２】
2011161971.tif 000004
【００４５】
実施例１
図１は、実施例１による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００４６】
図２は、実施例１による撮像光学系の収差を示す図である。図２（ａ）は、軸上色収差を示す図である。図２（ａ）の横軸は、光軸方向の焦点位置（単位はミリメータ）を示す。図２（ａ）の縦軸は、光線の絞りにおける通過位置を示す。縦軸の０は、光線が絞りの中心を通過することを示し、縦軸の１は、光線が絞りの端を通過することを示す。図２（ｂ）は、非点収差および像面湾曲を示す図である。図２（ｂ）の横軸は、光軸方向の焦点位置を示す（単位はミリメータ）。図２（ｂ）の縦軸は、像高さ（単位はミリメータ）を示す。点線は子午像面の位置を表し、実線は球欠像面の位置を表す。図２（ｃ）は、歪曲収差を示す図である。図２（ｃ）の横軸は、歪曲収差（ディストーション）を示す。図２（ｃ）の縦軸は、像高さ（単位はミリメータ）を示す。
【００４７】
表３は、実施例１による撮像光学系のレンズデータを示す表である。表３において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００４８】
表４は、第２面乃至第７面の非球面形状を表す式の係数および定数を示す表である。撮像光学系の光軸をｚ軸とし、光軸に垂直な面の座標をｘ、ｙとする直交座標系において、非球面形状は、以下の式で表される２次曲線を、光軸、すなわちｚ軸の周りに回転させた光軸対称回転面である。ただし、ｋは２次曲線の形状を定める定数、ｃは中心曲率である。また、Ａｉは補正係数である。なお、表４における第２面のＲが、ｒ１に相当する。
【００４９】
表４以下の表において、Ａが実数、Ｎが整数であるとして、Ａ１０Ｅ−Ｎは、
Ａ・１０−Ｎ
を表す。
【数１】
2011161971.tif 000005
【００５０】
表５は、回折格子の光路差関数の係数を示す表である。光路差関数は、以下の式で定義される。光路差関数は、５５０ｎｍの規格化波長の１次光で定義されている。
φ=C2×ｈ２+C4×h4+C6×h6+C8×h8+C10×h10
【００５１】
非球面形状の式及び光路差関数の式は、以下の実施例においても同様である。
【表３】
2011161971.tif 000006
【表４】
2011161971.tif 000007
【表５】
2011161971.tif 000008
【００５２】
実施例２
図３は、実施例２による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００５３】
図４は、実施例２による撮像光学系の収差を示す図である。図４（ａ）は、軸上色収差を示す図である。図４（ａ）の横軸は、光軸方向の焦点位置（単位はミリメータ）を示す。図４（ａ）の縦軸は、光線の絞りにおける通過位置を示す。縦軸の０は、光線が絞りの中心を通過することを示し、縦軸の１は、光線が絞りの端を通過することを示す。図４（ｂ）は、非点収差および像面湾曲を示す図である。図４（ｂ）の横軸は、光軸方向の焦点位置を示す（単位はミリメータ）。図４（ｂ）の縦軸は、像高さ（単位はミリメータ）を示す。点線は子午像面の位置を表し、実線は球欠像面の位置を表す。図４（ｃ）は、歪曲収差を示す図である。図４（ｃ）の横軸は、歪曲収差（ディストーション）を示す。図４（ｃ）の縦軸は、像高さ（単位はミリメータ）を示す。
【００５４】
表６は、実施例２による撮像光学系のレンズデータを示す表である。表６において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００５５】
表７は、第２面乃至第７面の非球面形状を表す式の係数および定数を示す表である。
【００５６】
表８は、回折格子の光路差関数の係数を示す表である。
【表６】
2011161971.tif 000009
【表７】
2011161971.tif 000010
【表８】
2011161971.tif 000011
【００５７】
実施例３
図５は、実施例３による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００５８】
図６は、実施例３による撮像光学系の収差を示す図である。図６（ａ）は、軸上色収差を示す図である。図６（ａ）の横軸は、光軸方向の焦点位置（単位はミリメータ）を示す。図６（ａ）の縦軸は、光線の絞りにおける通過位置を示す。縦軸の０は、光線が絞りの中心を通過することを示し、縦軸の１は、光線が絞りの端を通過することを示す。図６（ｂ）は、非点収差および像面湾曲を示す図である。図６（ｂ）の横軸は、光軸方向の焦点位置を示す（単位はミリメータ）。図６（ｂ）の縦軸は、像高さ（単位はミリメータ）を示す。点線は子午像面の位置を表し、実線は球欠像面の位置を表す。図６（ｃ）は、歪曲収差を示す図である。図６（ｃ）の横軸は、歪曲収差（ディストーション）を示す。図６（ｃ）の縦軸は、像高さ（単位はミリメータ）を示す。
【００５９】
表９は、実施例３による撮像光学系のレンズデータを示す表である。表９において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００６０】
表１０は、第２面乃至第７面の非球面形状を表す式の係数および定数を示す表である。
【００６１】
表１１は、回折格子の光路差関数の係数を示す表である。
【表９】
2011161971.tif 000012
【表１０】
2011161971.tif 000013
【表１１】
2011161971.tif 000014
【００６２】
実施例４
図７は、実施例４による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００６３】
図８は、実施例４による撮像光学系の収差を示す図である。図８（ａ）は、軸上色収差を示す図である。図８（ａ）の横軸は、光軸方向の焦点位置（単位はミリメータ）を示す。図８（ａ）の縦軸は、光線の絞りにおける通過位置を示す。縦軸の０は、光線が絞りの中心を通過することを示し、縦軸の１は、光線が絞りの端を通過することを示す。図８（ｂ）は、非点収差および像面湾曲を示す図である。図８（ｂ）の横軸は、光軸方向の焦点位置を示す（単位はミリメータ）。図８（ｂ）の縦軸は、像高さ（単位はミリメータ）を示す。点線は子午像面の位置を表し、実線は球欠像面の位置を表す。図８（ｃ）は、歪曲収差を示す図である。図８（ｃ）の横軸は、歪曲収差（ディストーション）を示す。図８（ｃ）の縦軸は、像高さ（単位はミリメータ）を示す。
【００６４】
表１２は、実施例４による撮像光学系のレンズデータを示す表である。表１２において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００６５】
表１３は、第２面乃至第７面の非球面形状を表す式の係数および定数を示す表である。
【００６６】
表１４は、回折格子の光路差関数の係数を示す表である。
【表１２】
2011161971.tif 000015
【表１３】
2011161971.tif 000016
【表１４】
2011161971.tif 000017
【００６７】
実施例５
図９は、実施例５による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００６８】
図１０は、実施例５による撮像光学系の収差を示す図である。図１０（ａ）は、軸上色収差を示す図である。図１０（ａ）の横軸は、光軸方向の焦点位置（単位はミリメータ）を示す。図１０（ａ）の縦軸は、光線の絞りにおける通過位置を示す。縦軸の０は、光線が絞りの中心を通過することを示し、縦軸の１は、光線が絞りの端を通過することを示す。図１０（ｂ）は、非点収差および像面湾曲を示す図である。図１０（ｂ）の横軸は、光軸方向の焦点位置を示す（単位はミリメータ）。図１０（ｂ）の縦軸は、像高さ（単位はミリメータ）を示す。点線は子午像面の位置を表し、実線は球欠像面の位置を表す。図１０（ｃ）は、歪曲収差を示す図である。図１０（ｃ）の横軸は、歪曲収差（ディストーション）を示す。図１０（ｃ）の縦軸は、像高さ（単位はミリメータ）を示す。
【００６９】
表１５は、実施例５による撮像光学系のレンズデータを示す表である。表１５において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００７０】
表１６は、第２面乃至第７面の非球面形状を表す式の係数および定数を示す表である。
【００７１】
表１７は、回折格子の光路差関数の係数を示す表である。
【表１５】
2011161971.tif 000018
【表１６】
2011161971.tif 000019
【表１７】
2011161971.tif 000020
【００７２】
実施例６
図１１は、実施例６による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００７３】
図１２は、実施例６による撮像光学系の収差を示す図である。図１２（ａ）は、軸上色収差を示す図である。図１２（ａ）の横軸は、光軸方向の焦点位置（単位はミリメータ）を示す。図１２（ａ）の縦軸は、光線の絞りにおける通過位置を示す。縦軸の０は、光線が絞りの中心を通過することを示し、縦軸の１は、光線が絞りの端を通過することを示す。図１２（ｂ）は、非点収差および像面湾曲を示す図である。図１２（ｂ）の横軸は、光軸方向の焦点位置を示す（単位はミリメータ）。図１２（ｂ）の縦軸は、像高さ（単位はミリメータ）を示す。点線は子午像面の位置を表し、実線は球欠像面の位置を表す。図１２（ｃ）は、歪曲収差を示す図である。図１２（ｃ）の横軸は、歪曲収差（ディストーション）を示す。図１２（ｃ）の縦軸は、像高さ（単位はミリメータ）を示す。
【００７４】
表１８は、実施例６による撮像光学系のレンズデータを示す表である。表１８において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００７５】
表１９は、第２面乃至第７面の非球面形状を表す式の係数および定数を示す表である。
【００７６】
表２０は、回折格子の光路差関数の係数を示す表である。
【表１８】
2011161971.tif 000021
【表１９】
2011161971.tif 000022
【表２０】
2011161971.tif 000023
【００７７】
実施例７
図１３は、実施例７による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００７８】
図１４は、実施例７による撮像光学系の収差を示す図である。図１４（ａ）は、軸上色収差を示す図である。図１４（ａ）の横軸は、光軸方向の焦点位置（単位はミリメータ）を示す。図１４（ａ）の縦軸は、光線の絞りにおける通過位置を示す。縦軸の０は、光線が絞りの中心を通過することを示し、縦軸の１は、光線が絞りの端を通過することを示す。図１４（ｂ）は、非点収差および像面湾曲を示す図である。図１４（ｂ）の横軸は、光軸方向の焦点位置を示す（単位はミリメータ）。図１４（ｂ）の縦軸は、像高さ（単位はミリメータ）を示す。点線は子午像面の位置を表し、実線は球欠像面の位置を表す。図１４（ｃ）は、歪曲収差を示す図である。図１４（ｃ）の横軸は、歪曲収差（ディストーション）を示す。図１４（ｃ）の縦軸は、像高さ（単位はミリメータ）を示す。
【００７９】
表２１は、実施例７による撮像光学系のレンズデータを示す表である。表２１において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００８０】
表２２は、第２面乃至第７面の非球面形状を表す式の係数および定数を示す表である。
【００８１】
表２３は、回折格子の光路差関数の係数を示す表である。
【表２１】
2011161971.tif 000024
【表２２】
2011161971.tif 000025
【表２３】
2011161971.tif 000026
【００８２】
実施例８
図１５は、実施例８による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００８３】
図１６は、実施例８による撮像光学系の収差を示す図である。図１６（ａ）は、軸上色収差を示す図である。図１６（ａ）の横軸は、光軸方向の焦点位置（単位はミリメータ）を示す。図１６（ａ）の縦軸は、光線の絞りにおける通過位置を示す。縦軸の０は、光線が絞りの中心を通過することを示し、縦軸の１は、光線が絞りの端を通過することを示す。図１６（ｂ）は、非点収差および像面湾曲を示す図である。図１６（ｂ）の横軸は、光軸方向の焦点位置を示す（単位はミリメータ）。図１６（ｂ）の縦軸は、像高さ（単位はミリメータ）を示す。点線は子午像面の位置を表し、実線は球欠像面の位置を表す。図１６（ｃ）は、歪曲収差を示す図である。図１６（ｃ）の横軸は、歪曲収差（ディストーション）を示す。図１６（ｃ）の縦軸は、像高さ（単位はミリメータ）を示す。
【００８４】
表２４は、実施例８による撮像光学系のレンズデータを示す表である。表２４において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００８５】
表２５は、第２面乃至第７面の非球面形状を表す式の係数および定数を示す表である。
【００８６】
表２６は、回折格子の光路差関数の係数を示す表である。
【表２４】
2011161971.tif 000027
【表２５】
2011161971.tif 000028
【表２６】
2011161971.tif 000029
【００８７】
実施例９
図１７は、実施例９による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００８８】
図１８は、実施例９による撮像光学系の収差を示す図である。図１８（ａ）は、軸上色収差を示す図である。図１８（ａ）の横軸は、光軸方向の焦点位置（単位はミリメータ）を示す。図１８（ａ）の縦軸は、光線の絞りにおける通過位置を示す。縦軸の０は、光線が絞りの中心を通過することを示し、縦軸の１は、光線が絞りの端を通過することを示す。図１８（ｂ）は、非点収差および像面湾曲を示す図である。図１８（ｂ）の横軸は、光軸方向の焦点位置を示す（単位はミリメータ）。図１８（ｂ）の縦軸は、像高さ（単位はミリメータ）を示す。点線は子午像面の位置を表し、実線は球欠像面の位置を表す。図１８（ｃ）は、歪曲収差を示す図である。図１８（ｃ）の横軸は、歪曲収差（ディストーション）を示す。図１８（ｃ）の縦軸は、像高さ（単位はミリメータ）を示す。
【００８９】
表２７は、実施例９による撮像光学系のレンズデータを示す表である。表２７において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００９０】
表２８は、第２面乃至第７面の非球面形状を表す式の係数および定数を示す表である。
【００９１】
表２９は、回折格子の光路差関数の係数を示す表である。
【表２７】
2011161971.tif 000030
【表２８】
2011161971.tif 000031
【表２９】
2011161971.tif 000032
【００９２】
実施例１０
図１９は、実施例１０による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００９３】
図２０は、実施例１０による撮像光学系の収差を示す図である。図２０（ａ）は、軸上色収差を示す図である。図２０（ａ）の横軸は、光軸方向の焦点位置（単位はミリメータ）を示す。図２０（ａ）の縦軸は、光線の絞りにおける通過位置を示す。縦軸の０は、光線が絞りの中心を通過することを示し、縦軸の１は、光線が絞りの端を通過することを示す。図２０（ｂ）は、非点収差および像面湾曲を示す図である。図２０（ｂ）の横軸は、光軸方向の焦点位置を示す（単位はミリメータ）。図２０（ｂ）の縦軸は、像高さ（単位はミリメータ）を示す。点線は子午像面の位置を表し、実線は球欠像面の位置を表す。図２０（ｃ）は、歪曲収差を示す図である。図２０（ｃ）の横軸は、歪曲収差（ディストーション）を示す。図２０（ｃ）の縦軸は、像高さ（単位はミリメータ）を示す。
【００９４】
表３０は、実施例１０による撮像光学系のレンズデータを示す表である。表３０において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【００９５】
表３１は、第２面乃至第７面の非球面形状を表す式の係数および定数を示す表である。
【００９６】
表３２は、回折格子の光路差関数の係数を示す表である。
【表３０】
2011161971.tif 000033
【表３１】
2011161971.tif 000034
【表３２】
2011161971.tif 000035
【００９７】
実施例１１
図２１は、実施例１１による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【００９８】
図２２は、実施例１１による撮像光学系の収差を示す図である。図２２（ａ）は、軸上色収差を示す図である。図２２（ａ）の横軸は、光軸方向の焦点位置（単位はミリメータ）を示す。図２２（ａ）の縦軸は、光線の絞りにおける通過位置を示す。縦軸の０は、光線が絞りの中心を通過することを示し、縦軸の１は、光線が絞りの端を通過することを示す。図２２（ｂ）は、非点収差および像面湾曲を示す図である。図２２（ｂ）の横軸は、光軸方向の焦点位置を示す（単位はミリメータ）。図２２（ｂ）の縦軸は、像高さ（単位はミリメータ）を示す。点線は子午像面の位置を表し、実線は球欠像面の位置を表す。図２２（ｃ）は、歪曲収差を示す図である。図２２（ｃ）の横軸は、歪曲収差（ディストーション）を示す。図２２（ｃ）の縦軸は、像高さ（単位はミリメータ）を示す。
【００９９】
表３３は、実施例１１による撮像光学系のレンズデータを示す表である。表３３において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【０１００】
表３４は、第２面乃至第７面の非球面形状を表す式の係数および定数を示す表である。
【０１０１】
表３５は、回折格子の光路差関数の係数を示す表である。
【表３３】
2011161971.tif 000036
【表３４】
2011161971.tif 000037
【表３５】
2011161971.tif 000038
【０１０２】
実施例１２
図２３は、実施例１２による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【０１０３】
図２４は、実施例１２による撮像光学系の収差を示す図である。図２４（ａ）は、軸上色収差を示す図である。図２４（ａ）の横軸は、光軸方向の焦点位置（単位はミリメータ）を示す。図２４（ａ）の縦軸は、光線の絞りにおける通過位置を示す。縦軸の０は、光線が絞りの中心を通過することを示し、縦軸の１は、光線が絞りの端を通過することを示す。図２４（ｂ）は、非点収差および像面湾曲を示す図である。図２４（ｂ）の横軸は、光軸方向の焦点位置を示す（単位はミリメータ）。図２４（ｂ）の縦軸は、像高さ（単位はミリメータ）を示す。点線は子午像面の位置を表し、実線は球欠像面の位置を表す。図２４（ｃ）は、歪曲収差を示す図である。図２４（ｃ）の横軸は、歪曲収差（ディストーション）を示す。図２４（ｃ）の縦軸は、像高さ（単位はミリメータ）を示す。
【０１０４】
表３６は、実施例１２による撮像光学系のレンズデータを示す表である。表３６において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【０１０５】
表３７は、第２面乃至第７面の非球面形状を表す式の係数および定数を示す表である。
【０１０６】
表３８は、回折格子の光路差関数の係数を示す表である。
【表３６】
2011161971.tif 000039
【表３７】
2011161971.tif 000040
【表３８】
2011161971.tif 000041
【０１０７】
実施例１３
図２５は、実施例１３による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【０１０８】
図２６は、実施例１３による撮像光学系の収差を示す図である。図２６（ａ）は、軸上色収差を示す図である。図２６（ａ）の横軸は、光軸方向の焦点位置（単位はミリメータ）を示す。図２６（ａ）の縦軸は、光線の絞りにおける通過位置を示す。縦軸の０は、光線が絞りの中心を通過することを示し、縦軸の１は、光線が絞りの端を通過することを示す。図２６（ｂ）は、非点収差および像面湾曲を示す図である。図２６（ｂ）の横軸は、光軸方向の焦点位置を示す（単位はミリメータ）。図２６（ｂ）の縦軸は、像高さ（単位はミリメータ）を示す。点線は子午像面の位置を表し、実線は球欠像面の位置を表す。図２６（ｃ）は、歪曲収差を示す図である。図２６（ｃ）の横軸は、歪曲収差（ディストーション）を示す。図２６（ｃ）の縦軸は、像高さ（単位はミリメータ）を示す。
【０１０９】
表３９は、実施例１３による撮像光学系のレンズデータを示す表である。表３９において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【０１１０】
表４０は、第２面乃至第７面の非球面形状を表す式の係数および定数を示す表である。
【０１１１】
表４１は、回折格子の光路差関数の係数を示す表である。
【表３９】
2011161971.tif 000042
【表４０】
2011161971.tif 000043
【表４１】
2011161971.tif 000044
【０１１２】
実施例１４
図２７は、実施例１４による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【０１１３】
図２８は、実施例１４による撮像光学系の収差を示す図である。図２８（ａ）は、軸上色収差を示す図である。図２８（ａ）の横軸は、光軸方向の焦点位置（単位はミリメータ）を示す。図２８（ａ）の縦軸は、光線の絞りにおける通過位置を示す。縦軸の０は、光線が絞りの中心を通過することを示し、縦軸の１は、光線が絞りの端を通過することを示す。図２８（ｂ）は、非点収差および像面湾曲を示す図である。図２８（ｂ）の横軸は、光軸方向の焦点位置を示す（単位はミリメータ）。図２８（ｂ）の縦軸は、像高さ（単位はミリメータ）を示す。点線は子午像面の位置を表し、実線は球欠像面の位置を表す。図２８（ｃ）は、歪曲収差を示す図である。図２８（ｃ）の横軸は、歪曲収差（ディストーション）を示す。図２８（ｃ）の縦軸は、像高さ（単位はミリメータ）を示す。
【０１１４】
表４２は、実施例１４による撮像光学系のレンズデータを示す表である。表４２において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【０１１５】
表４３は、第２面乃至第７面の非球面形状を表す式の係数および定数を示す表である。
【０１１６】
表４４は、回折格子の光路差関数の係数を示す表である。
【表４２】
2011161971.tif 000045
【表４３】
2011161971.tif 000046
【表４４】
2011161971.tif 000047
【０１１７】
実施例１５
図２９は、実施例１５による撮像光学系の構成を示す図である。本実施形態による撮像光学系は、物体側から像側に、第１レンズＥ１、第２レンズＥ２及び第３レンズＥ３を備える。第１レンズＥ１、第２レンズＥ２及び第３レンズＥ３を通過した光は、ガラス板Ｅ４を通過して像面ＩＳに至る。
【０１１８】
図３０は、実施例１５による撮像光学系の収差を示す図である。図３０（ａ）は、軸上色収差を示す図である。図３０（ａ）の横軸は、光軸方向の焦点位置（単位はミリメータ）を示す。図３０（ａ）の縦軸は、光線の絞りにおける通過位置を示す。縦軸の０は、光線が絞りの中心を通過することを示し、縦軸の１は、光線が絞りの端を通過することを示す。図３０（ｂ）は、非点収差および像面湾曲を示す図である。図３０（ｂ）の横軸は、光軸方向の焦点位置を示す（単位はミリメータ）。図３０（ｂ）の縦軸は、像高さ（単位はミリメータ）を示す。点線は子午像面の位置を表し、実線は球欠像面の位置を表す。図３０（ｃ）は、歪曲収差を示す図である。図３０（ｃ）の横軸は、歪曲収差（ディストーション）を示す。図３０（ｃ）の縦軸は、像高さ（単位はミリメータ）を示す。
【０１１９】
表４５は、実施例１５による撮像光学系のレンズデータを示す表である。表４５において、絞りの面間隔は、絞りの位置を基準とし、像側をプラスとした場合の第２面の位置である。その他の面について、例として、第２面（第１レンズの物体側の面）の面間隔は、第２面と第３面（第２レンズの像側の面）との間隔である。
【０１２０】
表４６は、第２面乃至第５面及び第７面の非球面形状を表す式の係数および定数を示す表である。
【０１２１】
表４７は、回折格子の光路差関数の係数を示す表である。
【０１２２】
表４８は、第６面の特殊面形状を表す式の係数および定数を示す表である。撮像光学系の光軸をｚ軸とし、光軸に垂直な面の座標をｘ、ｙとする直交座標系において、特殊面形状は、以下の式で表される２次曲線を、光軸、すなわちｚ軸の周りに回転させた光軸対称回転面である。ただし、ｋｊは２次曲線の形状を定める定数、ｃｊは中心曲率、ｄｊは面の位置を定める定数である。また、Ａｉｊは補正係数である。特殊面は、光軸を含む中心領域とその周囲の帯状領域から構成される。中心領域（ｊ＝１）と帯状領域（ｊ≧２)との境界及び複数の帯状領域が存在する場合に隣接する帯状領域の境界は円であり、この円を境界円と呼称する。本例においては、中心領域（ｊ＝１）と１個の帯状領域（ｊ＝２）が存在する。表４８において、ｊ＝２の境界円は、中心領域と１個の帯状領域の境界円である。
【数２】
2011161971.tif 000048
【表４５】
2011161971.tif 000049
【表４６】
2011161971.tif 000050
【表４７】
2011161971.tif 000051
【表４８】
2011161971.tif 000052
【図１】
2011161971.tif 000053
【図２】
2011161971.tif 000054
【図３】
2011161971.tif 000055
【図４】
2011161971.tif 000056
【図５】
2011161971.tif 000057
【図６】
2011161971.tif 000058
【図７】
2011161971.tif 000059
【図８】
2011161971.tif 000060
【図９】
2011161971.tif 000061
【図１０】
2011161971.tif 000062
【図１１】
2011161971.tif 000063
【図１２】
2011161971.tif 000064
【図１３】
2011161971.tif 000065
【図１４】
2011161971.tif 000066
【図１５】
2011161971.tif 000067
【図１６】
2011161971.tif 000068
【図１７】
2011161971.tif 000069
【図１８】
2011161971.tif 000070
【図１９】
2011161971.tif 000071
【図２０】
2011161971.tif 000072
【図２１】
2011161971.tif 000073
【図２２】
2011161971.tif 000074
【図２３】
2011161971.tif 000075
【図２４】
2011161971.tif 000076
【図２５】
2011161971.tif 000077
【図２６】
2011161971.tif 000078
【図２７】
2011161971.tif 000079
【図２８】
2011161971.tif 000080
【図２９】
2011161971.tif 000081
【図３０】
2011161971.tif 000082
【国際調査報告】
2011161971.tif 000083
2011161971.tif 000084
2011161971.tif 000085
2011161971.tif 000086